(57)【要約】      （修正有）【課題】発熱体を利用して冷えた手を早く温めることができる上、着用する手袋または着用して不用になった手袋を、落としたり紛失したりしないようにする左右一体型手袋を提供する。【解決手段】外袋１の内部に内袋を有する手袋で、外袋１に、左右両側面から手が入る挿入口３を設け、外袋１の上部左右両端に、首から下げる首ひも４を有する。内袋に、発熱体を収納する。外袋１の内側上部に面ファスナーを設け、内袋の内袋発熱体挿入口部に巾着を設ける。外袋１の表面部と裏面部のそれぞれの下部にポケット７を設け、各ポケットの上部に着用手袋固定用ゴムバンド８を設ける。【選択図】図１
0003191160.tif 000002
【実用新案登録請求の範囲】
【請求項１】
外袋１の内部に内袋２を有する手袋で、
前記外袋１に、左右両側面から手が入る挿入口３を設け、
前記外袋１の上部左右両端に、首から下げる首ひも４を有することを特徴とする左右一体型手袋。
【請求項２】
請求項１記載の内袋２に、発熱体を収納する事を特徴とする請求項１の左右一体型手袋。
【請求項３】
請求項１記載の外袋１の内側上部に面ファスナー５を設け、
請求項１記載の内袋２の内袋発熱体挿入口１０部に巾着６を設けたことを特徴とする請求項１記載の左右一体型手袋。
【請求項４】
請求項１記載の外袋１の表面部と裏面部のそれぞれの下部にポケット７を設け、
前記各ポケットの上部に着用手袋固定用ゴムバンド８を設けたことを特徴とする請求項１記載の左右一体型手袋。
【考案の詳細な説明】
【技術分野】
【０００１】  本考案は、手袋を着用する前に一時的に手、特に指先を温めるために発熱体収納袋を設け、着用前と着用後の手袋を収容するポケットを設けた、
左右一体型手袋兼手袋収容袋に関するものである。
【背景技術】
【０００２】  寒い時に着用する手袋は、一般的に繊維製品や皮製品の手袋の他、発熱体を用いた手袋などがあるが、手袋を着用する前にかじかんだ手を一時的に温めるための左右一体型手袋はなかった。【０００３】    耐熱用ペットボトルや缶などに入った温かい飲料用容器を握れば、一時的に指先や手が温たまるが、それらの熱を利用するための左右一体型手袋はなかった。【０００４】    使用済みの耐熱用ペットボトルやキャップ付の金属製飲料容器に、湯や温かい飲み物を入れて、それらを再利用する左右一体型手袋はなかった。【０００５】  着用しようとする手袋、または着用後不用になった手袋を収容する専用の用具はなかった。
【先行技術文献】
【特許文献】
【０００６】
【特許文献１】  特開２００９−２４９７７７号  公報
【特許文献２】  特開２００９−２４０８００号  公報
【特許文献３】  特開２００６−２０７０７１号  公報
【考案の概要】
【考案が解決しようとする課題】
【０００７】  これは以下のような問題点がある。
（１）寒さの厳しい時、手がかじかんだ状態で手袋を着用しても手は温まりにくかった。【０００８】  （２）かじかんだ指先を温めてから手袋を着用すれば比較的短時間で手が温められるが、手袋を着用する前に一時的に指先や手を温めるための左右一体型手袋はなかった。【０００９】  （３）外出先で、かじかんだ手を温めることは困難であった。【００１０】  （４）耐熱用ペットボトルや缶などに入った温かい飲料用容器を握れば一時的に指先や手を温ためられるが、それらの熱を利用してかじかんだ手を温める左右一体型手袋がなかった。【００１１】  （５）使用済みの耐熱用ペットボトルやキャップ付きの金属製飲料容器に湯や温かい飲み物を入れ、それを用いて、かじかんだ手を温める左右一体型手袋はなかった。【００１２】  （６）携帯電話の使用や文字を書いたりする手作事は、一般に手袋を手から外し作業をするため、落としたり紛失したりすることがある。また手が温まり不用となった手袋を手から外した場合も落としたり紛失しやすい。そのような時、手袋の収容場所がなかった。
本考案は、前述のような問題点を解消しようとするものである。
【課題を解決するための手段】  本考案は、以下の構成により前述の課題を解決できる。【００１３】  前記手袋の外袋の内部に発熱体を収納する内袋を設け、その内袋の生地を通して収納した発熱体を前記手袋内に手を入れてその発熱体を握ることにより、かじかんだ手を温めることができる。【００１４】  使用する前記発熱体は、使用済みで耐熱用ペットボトルやキャップ付きの缶飲料用容器に、お湯や温かい飲み物を入れたもの、または、かいろ、石鹸大の小型湯たんぽなどの他、外出先ではコンビニや自販機の温かい缶やペットボトルの容器に入った飲み物など、使用時間や行動予定など状況に応じて選択できる。【００１５】  首からぶら下げるひもを前記手袋に設けたため、前記発熱体を持ち運びしやすい。【００１６】  前記手袋の外袋の表面部と裏面部にポケットを設けたことにより着用前、着用後の左右の手袋の収容場所を分かりやすい。【００１７】  着用前、着用後の手袋を落としたり紛失しにくくするため、前記手袋の外袋の前面部と後面部のポケット上部に、着用前、着用後の手袋の手首部を前記手袋に固定させるゴムバンドを設けた。
【考案の効果】
【００１８】  通勤前の車の雪かきやスキーなどウインタースポーツを行う時、また寒い日の屋外のスポーツ観戦、バスや電車を待つ時など前記手袋を使用することにより冷えた手が早く温まる。【００１９】  寒さの厳しい時に前記手袋を所持していれば、外出先で指先を温めたい時、コンビニや自販機で温かい飲み物を入手し、発熱体として使用できる。【００２０】  発熱体の容器は、使用済み耐熱用ペットボトルやキャップ付金属製飲料容器など資源を再利用することにより低コストで済む。【００２１】  発熱体は、湯であれば処分しやすく、飲み物であれば飲む、また使用時間や使用状況によっては、かいろや石鹸大の小型湯たんぽを利用するなどの選択肢がある。【００２２】  着用前、着用後の手袋を前記手袋のポケットに収容できるため、紛失しにくく落としにくい。
【図面の簡単な説明】
【００２３】
【図１】本考案の正面図である。
【図２】本考案の内袋の斜視図である。
【図３】本考案の外袋と内袋の構成図である。
【考案を実施するための形態】
【００２４】  以下、本考案を実施するための形態について図１に基づいて説明する。
本考案の左右一体型手袋は、両手を入れる外袋１と、外袋１の内部に発熱体を収納する内袋２から構成される。
【００２５】  保温性のある生地の前記外袋１の内部の中央部に発熱体を収納する耐久性のある薄手の生地の内袋２を設ける。
なお、前記外袋と前記内袋は、一端が他の一端より幅が狭い２枚の生地を縫い合わせても、発熱体を収納できる。
【００２６】  前記外袋１は、左右両端から左右の手が挿入できる口を有し、
大きさは両手が入りそれぞれの手首が収まる程度の手挿入口３を設ける。
なお、手挿入口３に、手首を覆うゴムを使用することで保温性を高めることができる。
【００２７】  前記外袋１と前記内袋２は、発熱体を挿入するそれずれの挿入口９と１０を設け、前記外袋の挿入口９に面ファスナー５を設ける。
【００２８】  前記内袋２は、３５０ｃｃほどのペットボトルが収まるほどの大きさを有し、前記内袋上部の発熱体挿入口１０に、発熱体を固定するための巾着６を設ける。
なお、前記巾着は面ファスナーを用いても同様の効果が得られる。
【００２９】  前記外袋１の表面部と裏面部に着用する手袋の指先部ほどが収納できるポケット７を両面下部にそれぞれ設け、
前述の着用する手袋の手首部を前記外袋に固定するゴムベルト８を、前記外袋の表面部と裏面部の上部にそれぞれ設ける。
【００３０】  前記外袋１上部左右両端に、首から下げおへそあたりまでの長さを有する首ひも４を設ける。
本考案は以上のような構成である。
【産業上の利用可能性】
【００３１】  本考案の手袋は、使用状況に応じて発熱体に選択肢がある上、使用済みの耐熱用ペットボトルやキャップ付の飲料用缶の再利用もできる。【００３２】  本考案の手袋を使用することで、着用する手袋を落としたり、紛失の防止ができる。
【符号の説明】
【００３３】１  外袋
２  内袋
３  手挿入口
４  首ひも
５  面ファスナー
６  巾着
７  ポケット
８  ゴムベルト
９  外袋の発熱体挿入口
１０  内袋の発熱体挿入口
【図１】
0003191160.tif 000003
【図２】
0003191160.tif 000004
【図３】
0003191160.tif 000005